(57)【要約】【課題】端子の幅方向における中央の部分に隙間が形成されることを抑制すること。【解決手段】電線モジュール製造方法は、端子付電線７の芯線接続部８２に熱可塑性の接着剤３を配置しつつ、芯線接続部８２の周囲を収縮前の熱収縮チューブ２で覆う熱収縮チューブ配設工程と、収縮前の熱収縮チューブ２が芯線接続部８２の周囲を覆う状態で収縮前の熱収縮チューブ２を加熱し収縮させる加熱工程と、熱収縮チューブ２の一方端２１から溢れ出る流動状の接着剤３を、熱収縮チューブ２の一方端２１よりも内側に押し戻す押し戻し工程と、を備える。【選択図】図４
2017091643.tif 000002
【特許請求の範囲】
【請求項１】
芯線と前記芯線の周囲を覆う絶縁被覆とを備える絶縁電線と、一端側に設けられ相手側部材に接続可能な相手側接続部と前記相手側接続部よりも他端側に設けられ前記絶縁電線の端部の露出した前記芯線に接続された芯線接続部とを含む端子と、を備える端子付電線の前記芯線接続部に熱可塑性の接着剤を配置しつつ、前記芯線接続部の周囲を収縮前の熱収縮チューブで覆う熱収縮チューブ配設工程と、
収縮前の前記熱収縮チューブが前記芯線接続部の周囲を覆う状態で収縮前の前記熱収縮チューブを加熱し収縮させる加熱工程と、
前記熱収縮チューブの一方端から溢れ出る流動状の前記接着剤を、前記熱収縮チューブの一方端よりも内側に押し戻す押し戻し工程と、を備える、電線モジュール製造方法。
【請求項２】
請求項１に記載の電線モジュール製造方法であって、
前記押し戻し工程では、前記端子の幅方向における中央部分に向かって前記熱収縮チューブの一方端から溢れ出る流動状の前記接着剤を押し戻す、電線モジュール製造方法。
【請求項３】
請求項２に記載の電線モジュール製造方法であって、
前記押し戻し工程では、前記端子の幅方向において中央に向かうにつれ徐々に前記芯線接続部から離れる方向に窪むように傾斜する傾斜面を含む接触面を前記熱収縮チューブの一方端に対向させた状態で前記延在方向に沿って移動させて、前記熱収縮チューブの一方端から溢れ出る流動状の前記接着剤を押し戻す、電線モジュール製造方法。
【請求項４】
請求項１から請求項３のいずれか１項に記載の電線モジュール製造方法であって、
前記押し戻し工程では、前記端子の延在方向において凸状の部分又は凹状の部分を含む接触面を前記熱収縮チューブの一方端から溢れ出る流動状の前記接着剤に接触させることで、前記接着剤が押し戻され、
固化した状態で前記接着剤には、前記接触面の前記凸状の部分に応じた凹部又は前記凹状の部分に応じた凸部が形成されている、電線モジュール製造方法。
【請求項５】
芯線と前記芯線の周囲を覆う絶縁被覆とを備える絶縁電線と、一端側に設けられ相手側部材に接続可能な相手側接続部と前記相手側接続部よりも他端側に設けられ前記絶縁電線の端部の露出した前記芯線に接続された芯線接続部とを含む端子と、を備える端子付電線と、
熱収縮チューブと前記熱収縮チューブの内周面に形成された熱可塑性の接着剤とを備え、収縮した状態で前記端子の前記芯線接続部に密着して前記芯線接続部の周囲を覆う止水チューブと、を備え、
前記熱収縮チューブの両端のうち前記端子の前記相手側接続部側の一方端から溢れ出る前記接着剤に凹部又は凸部が形成されている、電線モジュール。
【発明の詳細な説明】
【技術分野】
【０００１】
本発明は、熱収縮チューブ及び接着剤によって端子と芯線との接続部分が止水された電線モジュール及びその製造方法に関する。
【背景技術】
【０００２】
内周面に接着剤が設けられた収縮前の熱収縮チューブが端子と絶縁電線の芯線との接続部分の周囲を覆う状態で、この熱収縮チューブが加熱されることで収縮し、端子と芯線との接続部分が止水される。
【０００３】
また、特許文献１に示されるように、熱収縮チューブの端部に堰き止め壁部が当てられ、熱収縮チューブの端部の開口が堰き止め壁部によって閉塞された状態で、熱収縮チューブが加熱される場合もある。
【先行技術文献】
【特許文献】
【０００４】
【特許文献１】特開２０１３−１１４９３６号公報
【発明の概要】
【発明が解決しようとする課題】
【０００５】
しかしながら、熱収縮チューブ及び接着剤を用いて端子と芯線との接続部分が止水される場合、端子の幅方向における中央の部分に隙間が形成されやすい。この現象は、特許文献１に示されるような堰き止め壁部が用いられる場合でも起こりやすい。
【０００６】
本発明は、端子の幅方向における中央の部分に隙間が形成されることを抑制することを目的とする。
【課題を解決するための手段】
【０００７】
第１態様に係る電線モジュール製造方法は、芯線と前記芯線の周囲を覆う絶縁被覆とを備える絶縁電線と、一端側に設けられ相手側部材に接続可能な相手側接続部と前記相手側接続部よりも他端側に設けられ前記絶縁電線の端部の露出した前記芯線に接続された芯線接続部とを含む端子と、を備える端子付電線の前記芯線接続部に熱可塑性の接着剤を配置しつつ、前記芯線接続部の周囲を収縮前の熱収縮チューブで覆う熱収縮チューブ配設工程と、収縮前の前記熱収縮チューブが前記芯線接続部の周囲を覆う状態で収縮前の前記熱収縮チューブを加熱し収縮させる加熱工程と、前記熱収縮チューブの一方端から溢れ出る流動状の前記接着剤を、前記熱収縮チューブの一方端よりも内側に押し戻す押し戻し工程と、を備える。
【０００８】
第２態様に係る電線モジュール製造方法は、第１態様に係る電線モジュール製造方法の一態様である。第２態様に係る電線モジュール製造方法においては、前記押し戻し工程では、前記端子の幅方向における中央部分に向かって前記熱収縮チューブの一方端から溢れ出る流動状の前記接着剤を押し戻す。
【０００９】
第３態様に係る電線モジュール製造方法は、第２態様に係る電線モジュール製造方法の一態様である。第３態様に係る電線モジュール製造方法においては、前記押し戻し工程では、前記端子の幅方向において中央に向かうにつれ徐々に前記芯線接続部から離れる方向に窪むように傾斜する傾斜面を含む接触面を前記熱収縮チューブの一方端に対向させた状態で前記延在方向に沿って移動させて、前記熱収縮チューブの一方端から溢れ出る流動状の前記接着剤を押し戻す。
【００１０】
第４態様に係る電線モジュール製造方法は、第１態様から第３態様のいずれか１つに係る電線モジュール製造方法の一態様である。第４態様に係る電線モジュール製造方法においては、前記押し戻し工程では、前記端子の延在方向において凸状の部分又は凹状の部分を含む接触面を前記熱収縮チューブの一方端から溢れ出る流動状の前記接着剤に接触させることで、前記接着剤が押し戻され、固化した状態で前記接着剤には、前記接触面の前記凸状の部分に応じた凹部又は前記凹状の部分に応じた凸部が形成されている。
【００１１】
第５態様に係る電線モジュールは、芯線と前記芯線の周囲を覆う絶縁被覆とを備える絶縁電線と、一端側に設けられ相手側部材に接続可能な相手側接続部と前記相手側接続部よりも他端側に設けられ前記絶縁電線の端部の露出した前記芯線に接続された芯線接続部とを含む端子と、を備える端子付電線と、熱収縮チューブと前記熱収縮チューブの内周面に形成された熱可塑性の接着剤とを備え、収縮した状態で前記端子の前記芯線接続部に密着して前記芯線接続部の周囲を覆う止水チューブと、を備え、前記熱収縮チューブの両端のうち前記端子の前記相手側接続部側の一方端から溢れ出る前記接着剤に凹部又は凸部が形成されている。
【発明の効果】
【００１２】
第１態様から第４態様では、熱収縮チューブの一方端から溢れ出る流動状の接着剤を、熱収縮チューブの一方端よりも内側に押し戻す押し戻し工程を備える。この場合、押し戻された接着剤が端子の幅方向における中央部分の隙間を埋めることで、端子の幅方向における中央の部分に隙間が形成されることを抑制できる。
【００１３】
第２態様においては、押し戻し工程では、端子の幅方向における中央部分に向かって熱収縮チューブの一方端から溢れ出る流動状の接着剤が押し戻される。この場合、流動状の接着剤が端子の幅方向における中央部分に集まり易く、端子の幅方向における中央の部分に隙間が形成されることをより抑制できる。
【００１４】
第３態様においては、押し戻し工程では、端子の幅方向において中央に向かうにつれ徐々に芯線接続部から離れる方向に窪むように傾斜する傾斜面を含む接触面を熱収縮チューブの一方端に対向させた状態で延在方向に沿って移動させて、熱収縮チューブの一方端から溢れ出る流動状の接着剤を押し戻す。この場合、接触面を端子の延在方向に沿って移動させるだけで、熱収縮チューブの一方端から溢れ出る接着剤を端子の幅方向における中央部分に集めつつ、熱収縮チューブの一方端よりも内側に押し戻すことができる。
【００１５】
第４態様においては、押し戻し工程では、押し戻し工程では、端子の延在方向において凸状の部分又は凹状の部分を含む接触面を熱収縮チューブの一方端から溢れ出る流動状の接着剤に接触させることで、接着剤が押し戻され、固化した状態で接着剤には、接触面の凸状の部分に応じた凹部又は凹状の部分に応じた凸部が形成されている。この場合、接着剤のうち熱収縮チューブの一方端から溢れ出た部分に凹部又は凸部が形成されていることを確認することで、この電線モジュールの止水性を確認できる。即ち、目視で簡単に電線モジュールの止水性を確認できる。
【００１６】
第５態様では、端子の幅方向における中央の部分に隙間が形成されることを抑制できる。また、第５態様では、熱収縮チューブの両端のうち端子の相手側接続部側の一方端から溢れ出る接着剤に凹部又は凸部が形成されている。この場合、接着剤のうち熱収縮チューブの一方端から溢れ出た部分に凹部又は凸部が形成されていることを確認することで、この電線モジュールの止水性を確認できる。即ち、目視で簡単に電線モジュールの止水性を確認できる。
【図面の簡単な説明】
【００１７】
【図１】実施形態に係る電線モジュール製造方法によって得られる電線モジュールの断面図である。
【図２】実施形態に係る電線モジュール製造方法の一部を説明する説明図である。
【図３】実施形態に係る電線モジュール製造方法の一部を説明する説明図である。
【図４】実施形態に係る電線モジュール製造方法の一部を説明する説明図である。
【図５】実施形態に係る電線モジュール製造方法の一部を説明する説明図である。
【図６】実施形態に係る電線モジュール製造方法の一部を説明する説明図である。
【図７】第１変形例に係る電線モジュール製造方法の一部を説明する説明図である。
【図８】第１変形例に係る電線モジュール製造方法の一部を説明する説明図である。
【図９】第１変形例に係る電線モジュール製造方法によって得られる電線モジュールの断面図である。
【図１０】第２変形例に係る電線モジュール製造方法の一部を説明する説明図である。
【図１１】第２変形例に係る電線モジュール製造方法の一部を説明する説明図である。
【図１２】第２変形例に係る電線モジュール製造方法によって得られる電線モジュールの断面図である。
【発明を実施するための形態】
【００１８】
以下、添付の図面を参照しつつ、実施形態について説明する。以下の実施形態は、本発明を具現化した一例であり、本発明の技術的範囲を限定する事例ではない。
【００１９】
＜実施形態＞
まず、図１〜６を参照しつつ、本実施形態の電線モジュール製造方法及びこの電線モジュール製造方法で得られる電線モジュール１００について説明する。図１は、電線モジュール１００の側方断面図である。はじめに図１を参照しつつ、電線モジュール１００の各構成について説明する。
【００２０】
ここでは、電線モジュール１００は、端子付電線７と収縮した止水チューブ１とを備える。端子付電線７は、絶縁電線９と端子８とを備える。また、止水チューブ１は、熱収縮チューブ２とこの熱収縮チューブ２の内周面に設けられた接着剤３とを備える。
【００２１】
ここでは、絶縁電線９は、芯線９１と芯線９１の周囲を覆う絶縁被覆９２とを備える。芯線９１は、例えば、アルミニウム又は銅等の金属を主成分とする導体である。絶縁被覆９２は、樹脂の絶縁部材である。絶縁被覆９２は、例えば、ポリエチレン又は塩化ビニル等を主成分とする合成樹脂の部材である。
【００２２】
端子付電線７においては、絶縁電線９の端部の芯線９１の周囲の絶縁被覆９２が除去される。そして、この絶縁電線９の端部の芯線９１には、端子８が接続される。
【００２３】
端子８は、例えば、銅等の金属を主成分とする部材である。端子８は、端子８の一端８８側に設けられ相手側部材６１に接続可能な相手側接続部８１と、相手側接続部８１よりも他端８９側に設けられ絶縁電線９の端部の露出した芯線９１に接続された芯線接続部８２と、絶縁被覆９２に接続される被覆接続部８３と、相手側接続部８１と芯線接続部８２とを繋ぐ部分である中間部８４と、を備える。
【００２４】
端子８の相手側接続部８１は、この端子８の接続相手である相手側部材６１に接続可能な部分であり、ここでは、相手側部材６１に対しボルト締結を可能にするボルト孔８１０を含む。なお、相手側部材６１としては、例えば、バッテリー又は金属ボディ（端子台）等が考えられる。図１には、相手側部材６１が仮想線（二点鎖線）で示されている。また、図１には、相手側部材６１と相手側接続部８１とを固定するボルト６２及びナット６３も仮想線（二点鎖線）で示されている。
【００２５】
本実施形態において、相手側接続部８１は、ボルト６２及びナット６３によって相手側部材６１と固定された際に、一方の面側でナット６３に接触する部分と他方の面側で相手側部材６１に接触する部分とを含む。
【００２６】
端子８の芯線接続部８２は、絶縁電線９の端部の芯線９１に接続される部分である。ここでは、芯線接続部８２は、絶縁電線９の端部の芯線９１に圧着可能な圧着片を含む。端子付電線７においては、芯線接続部８２の圧着片が、絶縁電線９の端部の芯線９１の周囲を覆う状態でかしめられる。なお、別の例として、芯線接続部が、絶縁電線９の端部の芯線９１に超音波溶接等によって溶接される場合ももちろん考えられる。この場合、芯線接続部は、絶縁電線９の端部の芯線９１を溶接可能な平板状に形成されていること等が考えられる。
【００２７】
また、端子８の被覆接続部８３は、芯線接続部８２よりも端子８の他端８９側に設けられている。被覆接続部８３は、絶縁電線９の絶縁被覆９２に接続される部分であり、ここでは、絶縁被覆９２に圧着可能な圧着片を含む。端子付電線７においては、被覆接続部８３の圧着片が絶縁被覆９２の周囲を覆う状態でかしめられる。
【００２８】
中間部８４は、相手側接続部８１と芯線接続部８２とを繋ぐ部分であり、ここでは、平板状に形成されている。例えば、端子付電線７における端子８のうち絶縁電線９の芯線９１の先端から相手側接続部８１までの部分が中間部８４である。
【００２９】
また、以下では、端子８のうち芯線９１側の主面を一方主面８０と称する。また、一方主面８０に対する反対側の主面を他方主面８５と称する。他方主面８５は、端子８の底面でもある。
【００３０】
止水チューブ１は、熱収縮チューブ２及び接着剤３を備える。熱収縮チューブ２は、熱を受けて収縮する熱収縮タイプのチューブである。熱収縮チューブ２は、例えば、ポリオレフィン系樹脂もしくはナイロン系樹脂などの合成樹脂によって形成された管状の部材である。熱収縮チューブ２は、押し出し成形によりごく細い管状に成形された樹脂部材が、架橋処理後、加熱された状態で太い管状へ引き伸ばされた後に冷却されることによって得られる。このようにして得られた熱収縮チューブ２は、加熱された場合、引き伸ばされる前の細い管状まで収縮する形状記憶特性を有する。そして、熱収縮チューブ２の内周面には、熱可塑性の接着剤３が設けられている。接着剤３は、例えば、変性オレフィン系又はポリエステル系のホットメルト接着剤などが考えられる。
【００３１】
電線モジュール１００においては、熱収縮チューブ２の一方端２１が、端子８の相手側接続部８１側に配置された状態で、収縮後の止水チューブ１が端子８の芯線接続部８２の周囲を覆っている。より具体的には、収縮後の止水チューブ１の内部の隙間を、溶融しその後固化した接着剤３が埋めた状態で、収縮後の止水チューブ１が、端子８の芯線接続部８２と絶縁電線９の芯線９１との接続部分を覆っている。これにより、端子８と芯線９１との接続部分が収縮後の止水チューブ１によって止水される。
【００３２】
ここで、図１に示されるように、端子８の一方主面８０側では、接着剤３のうち熱収縮チューブ２の一方端２１から溢れ出る部分に、後述する押戻し部材５の接触面５１で押された跡が形成されている。この跡は、流動状の接着剤３が相手側接続部８１に到達することを抑制する際に付けられたものである。詳しくは、後述する。なお、ここでは、上記押された跡は、端子８の一方主面８０側のみに形成されている。しかしながら、他の例として、端子８の他方主面８５側でも、接着剤３のうち熱収縮チューブ２の一方端２１から溢れ出る部分に、押戻し部材５の接触面５１で押された跡が形成されていることも考えられる。
【００３３】
次に、図２〜６を参照しつつ、本実施形態の電線モジュール製造方法について説明する。図２は、電線モジュール製造方法における熱収縮チューブ配設工程を説明する説明図である。図３は、電線モジュール製造方法における加熱工程を説明する説明図である。図４〜６は、電線モジュール製造方法における押し戻し工程を説明する説明図である。
【００３４】
まず、熱収縮チューブ配設工程について説明する。熱収縮チューブ配設工程は、絶縁電線９の芯線９１と接続された端子８の芯線接続部８２に接着剤３を配置しつつ、芯線接続部８２の周囲を収縮前の熱収縮チューブ２で覆う工程である。図２に示されるように、ここでは、熱収縮チューブ配設工程では、絶縁電線９の芯線９１と接続された端子８の芯線接続部８２の周囲を、内周面に接着剤３が設けられた熱収縮チューブ２を含む止水チューブ１が覆うように配設される。
【００３５】
次に、加熱工程について説明する。加熱工程は、収縮前の熱収縮チューブ２が芯線接続部８２の周囲を覆う状態で収縮前の熱収縮チューブ２を加熱し収縮させる工程である。ここでは、加熱工程は、熱収縮チューブ配設工程の後に行われる。図３に示されるように、ここでは、加熱工程では、端子８の芯線接続部８２の周囲を覆う収縮前の止水チューブ１がヒータ等の加熱部４によって加熱される。これにより、止水チューブ１の接着剤３が溶融しつつ、熱収縮チューブ２が収縮する。
【００３６】
やがて、図４に示されるように、熱収縮チューブ２が完全に収縮する。熱収縮チューブ２が完全に収縮した際、溶融し流動状の接着剤３は、収縮後の熱収縮チューブ２の内部の隙間を埋め、また、接着剤３の一部が、熱収縮チューブ２の一方端２１及び他方端２９から溢れ出る。
【００３７】
ここで、流動状の接着剤３の一部が熱収縮チューブ２の一方端２１から溢れ出て相手側接続部８１に到達する場合、相手側接続部８１に付着した接着剤３がナット６３又は相手側部材６１と接触し、端子８と相手側部材６１との接続状態の不安定化が懸念される。
【００３８】
上記懸念を回避するため、本実施形態の電線モジュール製造方法は、押し戻し工程を備える。押し戻し工程は、熱収縮チューブ２の一方端２１から溢れ出る流動状の接着剤３を、熱収縮チューブ２の一方端２１よりも内側に押し戻す工程である。なお、押し戻し工程は、加熱工程によって加熱され溶融した接着剤３が完全に固化する前に行われる。
【００３９】
本実施形態においては、押戻し工程では、熱収縮チューブ２の一方端２１側の開口を塞ぐように熱収縮チューブ２の一方端２１から溢れ出た流動状の接着剤３が押し戻され、ここでは、熱収縮チューブ２の一方端２１から溢れ出る接着剤３のうち少なくとも一部が押し戻し工程によって熱収縮チューブ２の一方端２１よりも内側に押し戻される。
【００４０】
ところで、熱収縮チューブ２及び接着剤３を用いて端子８と芯線９１との接続部分が止水される場合、端子８の幅方向における中央部分に隙間が形成されやすい。特に本実施形態のように、端子８の中間部８４が断面視扁平状である場合、端子８の幅方向における中央部分に隙間が形成されやすい。熱収縮チューブ２の断面形状が円形状であるのに対し、端子８の中間部８４の断面形状が扁平状のためである。
【００４１】
上記の現象をより具体的に説明する。まず、扁平状の中間部８４の両側面には、収縮開始後比較的すぐに熱収縮チューブ２の内周面に設けられた接着剤３が接触しやすい。このため、中間部８４の両側面は、接着剤３によって熱収縮チューブ２の内周面と十分に接着され、隙間が形成されにくい。一方、中間部８４のうち端子８の幅方向における中央部分には、熱収縮チューブ２がある程度収縮しないと接着剤３が接触しない。また、先に中間部８４の両側面に熱収縮チューブ２の内周面が接触するため、熱収縮チューブ２のうち端子８の幅方向における中央部分に接触する予定の部分が盛り上がり易い。さらに、端子８の一方主面８０側には芯線９１及び芯線接続部８２が存在するため、熱収縮チューブ２のうち端子８の幅方向における中央部分の一方主面８０側に接触する予定の部分は、特に盛り上がり易い。このため、端子８の中間部８４の幅方向における中央部分は、接着剤３によって熱収縮チューブ２の内周面と十分に接着され難く、隙間が形成されやすい。
【００４２】
そこで、本実施形態では、押し戻し工程を備える。また、ここでは、押し戻し工程では、端子８の幅方向における中央部分に向かって熱収縮チューブ２の一方端２１から溢れ出る流動状の接着剤３が押し戻される。即ち、端子８の幅方向における中央部分に熱収縮チューブ２の一方端２１から溢れ出る流動状の接着剤３が集まるように流動状の接着剤３が押し戻される。この場合、端子８の幅方向における中央部分に隙間が形成されることをより効果的に抑制できる。
【００４３】
以下、本実施形態における押し戻し工程の詳細について説明する。ここでは、図４〜６に示されるように、１つの押戻し部材５を用いて押し戻し工程が行われる。
【００４４】
押戻し部材５には、端子８の幅方向において中央に向かうにつれ徐々に芯線接続部８２から離れる方向に窪むように傾斜する傾斜面を含む接触面５１が形成されている。なお、接触面５１は、押し戻し工程において、熱収縮チューブ２の一方端２１から溢れ出る流動状の接着剤３に押し当てられる部分である。また、少なくとも押戻し部材５の接触面５１には、流動状の接着剤３が付着しないようにコーティングが施されていることが考えられる。例えば、接触面５１にフッ素コーティングが施されている場合が考えられる。また、押戻し部材５自体がフッ素樹脂で形成されている場合も考えられる。
【００４５】
ここでは、押戻し部材５の接触面５１は、両端各々から中央に向かって徐々に芯線接続部８２から離れる方向に凹むように傾斜する一対の傾斜面を含む。なお、押し戻し工程では、接触面５１の上記両端を結ぶ方向が端子８の幅方向と一致する姿勢で押戻し部材５がセットされる。従って、押し戻し工程が行われる際には、接触面５１は、端子８の幅方向における中央部分に両端各々から向かうにつれ徐々に芯線接続部８２から離れる方向に窪む凹状に形成されているといえる。
【００４６】
また、ここでは、接触面５１における一対の傾斜面が角度を成して連なっている。しかしながら、他の例として、押戻し部材の接触面が、端子８の幅方向において中央に向かうにつれ徐々に芯線接続部８２から離れる方向に窪むように湾曲しつつ傾斜する傾斜面を含む場合等も考えられる。
【００４７】
また、図５に示されるように、熱収縮チューブ２の一方端２１から溢れ出る流動状の接着剤３は、特に中間部８４の両側面の部分から溢れ出す。このため、本実施形態では、図５に示されるように、接触面５１の両端間の寸法（端子８の幅方向における寸法）が、中間部８４の端子８の幅方向における寸法よりも大きくなるように構成されている。この場合、中間部８４の両側面の部分から溢れ出す流動状の接着剤３を、より多く端子８の幅方向における中央部分に集めることができる。
【００４８】
本実施形態の押し戻し工程では、まず、図５に示されるように、押戻し部材５の接触面５１の両端を結ぶ方向が端子８の幅方向と一致する姿勢で、接触面５１を熱収縮チューブ２の一方端２１に対向させる。そして、加熱工程によって熱収縮チューブ２の一方端２１から流動状の接着剤３が溢れ出たときに、上記姿勢を維持した状態で、押戻し部材５を端子８の延在方向に沿って熱収縮チューブ２側へ移動させる。これにより、接触面５１が熱収縮チューブ２の一方端２１に対向した状態で熱収縮チューブ２側に移動する。やがて、接触面５１に流動状の接着剤３が接触し、さらに熱収縮チューブ２側に移動させられることで、接触面５１によって熱収縮チューブ２の一方端２１から溢れ出た流動状の接着剤３を熱収縮チューブ２の一方端２１よりも内側に押し戻すことができる。
【００４９】
また、ここでは、接触面５１が端子８の幅方向において中央に向かうにつれ徐々に芯線接続部８２から離れる方向に窪むように傾斜する傾斜面を含むため、接触面５１が熱収縮チューブ２の一方端２１に対向した姿勢で、押戻し部材５を端子８の延在方向に沿って移動させるだけで、熱収縮チューブ２の一方端２１から溢れ出た流動状の接着剤３を、比較的隙間が形成されやすい端子８の幅方向における中央部分に集めつつ、熱収縮チューブ２の一方端２１よりも内側に押し戻すことができる。
【００５０】
そして、流動状の接着剤３が熱収縮チューブ２の一方端２１よりも内側に押し戻された状態で完全に固化することで電線モジュール１００を得ることができる。なお、押し戻し工程は、熱収縮チューブ２の一方端２１から接着剤３が溢れ出た時から開始される場合又は熱収縮チューブ２の一方端２１から溢れ出た流動状の接着剤３が少し固化し、ある程度の粘度になった時から開始される場合等が考えられる。ちなみに、いずれの場合も、流動状の接着剤３が相手側接続部８１に到達する前に行われることが好ましい。
【００５１】
そして、押し戻し工程は、流動状の接着剤３が完全に固化するまで行われている場合又は流動状の接着剤３がある程度形状を保つ程度に固化するまで行われる場合等が考えられる。例えば、押し戻し工程が流動状の接着剤３が完全に固化するまで行われている場合、流動状の接着剤３は、押戻し部材５の接触面５１が押し当てられた状態で完全に固化する。この場合、接着剤３には、接触面５１が押し当てられた跡が明確に残ることが考えられる。また、押し戻し工程が、流動状の接着剤３が押し戻すことは可能であるがある程度形状を保つ程度に固化した状態で行われる場合も考えられる。この場合、押戻し部材５を接着剤３から早く取り外すことができる。
【００５２】
以上の方法で得られる電線モジュール１００においては、端子８と芯線９１との接続部分が収縮後の止水チューブ１によって止水される。また、熱収縮チューブ２の一方端２１側において、端子８の幅方向における中央部分に液体の侵入経路と成り得る隙間が形成されにくい。このため、この電線モジュール１００においては、端子８と芯線９１との接続部分がより確実に止水される。また、接着剤３のうち熱収縮チューブ２の一方端２１から溢れ出る部分には、押戻し部材５の接触面５１が押し当てられた跡が形成されている。
【００５３】
＜効果＞
本実施形態では、熱収縮チューブ２の一方端２１から溢れ出る流動状の接着剤３を、熱収縮チューブ２の一方端２１よりも内側に押し戻す押し戻し工程を備える。この場合、押し戻された接着剤３が端子８の幅方向における中央部分の隙間を埋めることで、端子８の幅方向における中央の部分に隙間が形成されることを抑制できる。
【００５４】
また、本実施形態においては、押し戻し工程では、端子８の幅方向における中央部分に向かって熱収縮チューブ２の一方端２１から溢れ出る流動状の接着剤３が押し戻される。この場合、流動状の接着剤３が端子８の幅方向における中央部分に集まり易く、端子８の幅方向における中央の部分に隙間が形成されることをより抑制できる。
【００５５】
また、本実施形態においては、押し戻し工程では、端子８の幅方向において中央に向かうにつれ徐々に芯線接続部８２から離れる方向に窪むように傾斜する傾斜面を含む接触面５１を熱収縮チューブ２の一方端２１に対向させた状態で延在方向に沿って移動させて、熱収縮チューブ２の一方端２１から溢れ出る流動状の接着剤３を押し戻す。この場合、接触面５１を端子８の延在方向に沿って移動させるだけで、熱収縮チューブ２の一方端２１から溢れ出る接着剤３を端子８の幅方向における中央部分に集めつつ、熱収縮チューブ２の一方端２１よりも内側に押し戻すことができる。
【００５６】
また、本実施形態では、溢れ出た接着剤３を熱収縮チューブ２の一方端２１よりも内側に押し戻すことで、従来のように堰き止め壁部で熱収縮チューブの一方端の開口を塞ぐ場合に比べ、より短時間で熱収縮チューブ２の一方端２１の開口を接着剤３で塞ぐことができる。堰き止め壁部を端子付電線毎に熱収縮チューブの一方端の位置に正確に設置する必要がなくなるためである。また、溢れ出た接着剤３を端子８の幅方向における中央部分に集めるように押し戻すことで、従来のように堰き止め壁部で熱収縮チューブの一方端の開口を塞ぐ場合に比べ、より少量の接着剤３によって熱収縮チューブ２の一方端２１側の端子８の幅方向における中央部分に隙間が形成されることをより確実に抑制することができる。
【００５７】
また、従来では、例えば、収縮後の熱収縮チューブによって止水された箇所を液体に浸け、この反対側の端部の芯線と絶縁被覆との間から空気を送り込み、熱収縮チューブの止水性が確認されることがある。しかしながら、この場合、空気を送り込む装置等が必要となり、また、止水性の確認に多くの時間を要する。また、空気を送り込んだ際にその勢いによって接着剤が剥がれてしまうといったことが懸念される。
【００５８】
しかしながら、本実施形態では、電線モジュール１００のうち、接着剤３のうち熱収縮チューブ２の一方端２１から溢れ出る部分に押戻し部材５の接触面５１が押し当てられた跡が形成されているか否かを目視で確認することで、この電線モジュール１００の止水性が十分に確保されているか否かを簡単に判断できる。このため、空気を送り込む装置等を不要とすることができ、また、止水性をすぐに確認することができる。また、目視で確認するため、従来のように止水性の確認の際に接着剤が剥がれてしまうといったことも抑制できる。
【００５９】
＜第１変形例＞
次に図７〜９を参照しつつ、第１変形例に係る電線モジュール製造方法及び電線モジュール１００Ａについて説明する。図７，８は、本例の電線モジュール製造方法における押し戻し工程を説明する説明図である。図９は、本例の電線モジュール１００Ａの一部の平面図である。なお、図７〜９において、図１〜６に示される構成要素と同じ構成要素には同じ参照符号が付されている。
【００６０】
本例の電線モジュール製造方法において、熱収縮チューブ配設工程及び加熱工程は、実施形態と同じである。本例では、押し戻し工程において使用される押戻し部材５Ａが、実施形態の押戻し部材５と異なっている。
【００６１】
本例において、押戻し部材５Ａは、凸状の部分（以下、凸状部５８）を含む接触面５１Ａを含む。図７に示されるように、押し戻し工程では、まず、接触面５１Ａが熱収縮チューブ２の一方端２１に対向する姿勢で押戻し部材５Ａがセットされる。このとき、接触面５１Ａの凸状部５８は、熱収縮チューブ２の一方端２１に向かって突出する姿勢となる。従って、この場合、押し戻し工程では、接触面５１Ａの凸状部５８は、端子８の延在方向において凸状に形成されているといえる。
【００６２】
そして、押し戻し工程では、端子８の延在方向において凸状の凸状部５８を含む接触面５１Ａを熱収縮チューブ２の一方端２１から溢れ出る流動状の接着剤３に接触させることで、接着剤３が押し戻される。
【００６３】
より具体的には、図８に示されるように、加熱工程によって熱収縮チューブ２の一方端２１から流動状の接着剤３が溢れ出たときに、接触面５１Ａが熱収縮チューブ２の一方端２１に対向し、かつ、凸状部５８が熱収縮チューブ２の一方端２１側に向かって突出する姿勢を維持した状態で、押戻し部材５Ａを端子８の延在方向に沿って熱収縮チューブ２側へ移動させる。これにより、接触面５１Ａが熱収縮チューブ２の一方端２１に対向した状態で熱収縮チューブ２側に移動する。やがて、接触面５１Ａに流動状の接着剤３が接触し、さらに熱収縮チューブ２側に移動させられることで、接触面５１Ａによって熱収縮チューブ２の一方端２１から溢れ出た流動状の接着剤３を熱収縮チューブ２の一方端２１よりも内側に押し戻すことができる。
【００６４】
ここで、図８，９に示されるように、本例では、接触面５１Ａの凸状部５８によって、接着剤３のうち熱収縮チューブ２の一方端２１から溢れ出る部分にこの凸状部５８に応じた凹部３８が形成される。そして、この凹部３８が形成された状態で、流動状の接着剤３が固化する。
【００６５】
本例の電線モジュール製造方法によって得られる電線モジュール１００Ａでは、固化した状態で接着剤３のうち熱収縮チューブ２の一方端２１から溢れ出る部分には凹部３８が形成される。より具体的には、接着剤３のうち端子８の相手側接続部８１側の端部には、相手側接続部８１から芯線接続部８２側に向かう方向窪んだ凹部３８が形成される。本例では、電線モジュール１００Ａにおいて、接着剤３のうち熱収縮チューブ２の一方端２１から溢れ出た部分に凹部３８が形成されていることを確認することで、この電線モジュール１００Ａの止水性を確認できる。凹部３８は、目視で比較的簡単に確認できるため、より簡単に電線モジュール１００Ａの止水性を確認できる。
【００６６】
＜第２変形例＞
次に図１０〜１２を参照しつつ、第２変形例に係る電線モジュール製造方法及び電線モジュール１００Ｂについて説明する。図１０，１１は、本例の電線モジュール製造方法における押し戻し工程を説明する説明図である。図１２は、本例の電線モジュール１００Ｂの一部の平面図である。なお、図１０〜１２において、図１〜９に示される構成要素と同じ構成要素には同じ参照符号が付されている。
【００６７】
本例の電線モジュール製造方法において、熱収縮チューブ配設工程及び加熱工程は、実施形態と同じである。本例では、押し戻し工程において使用される押戻し部材５Ｂが、実施形態の押戻し部材５と異なっている。
【００６８】
本例において、押戻し部材５Ａは、凹状の部分（以下、凹状部５９）を含む接触面５１Ｂを含む。図１０に示されるように、押し戻し工程では、まず、接触面５１Ｂが熱収縮チューブ２の一方端２１に対向する姿勢で押戻し部材５Ｂがセットされる。このとき、接触面５１Ｂの凹状部５９は、熱収縮チューブ２の一方端２１から離れる方向に窪むものとみることができる。従って、この場合、押し戻し工程では、接触面５１Ａの凹状部５９は、端子８の延在方向において凹状に形成されているといえる。
【００６９】
そして、押し戻し工程では、端子８の延在方向において凹状の凹状部５９を含む接触面５１Ｂを熱収縮チューブ２の一方端２１から溢れ出る流動状の接着剤３に接触させることで、接着剤３が押し戻される。
【００７０】
より具体的には、図１１に示されるように、加熱工程によって熱収縮チューブ２の一方端２１から流動状の接着剤３が溢れ出たときに、接触面５１Ｂが熱収縮チューブ２の一方端２１に対向し、かつ、凹状部５９が熱収縮チューブ２の一方端２１から離れる方向に窪むようにみることができる姿勢を維持した状態で、押戻し部材５Ｂを端子８の延在方向に沿って熱収縮チューブ２側へ移動させる。これにより、接触面５１Ｂが熱収縮チューブ２の一方端２１に対向した状態で熱収縮チューブ２側に移動する。やがて、接触面５１Ｂに流動状の接着剤３が接触し、さらに熱収縮チューブ２側に移動させられることで、接触面５１Ｂによって熱収縮チューブ２の一方端２１から溢れ出た流動状の接着剤３を熱収縮チューブ２の一方端２１よりも内側に押し戻すことができる。
【００７１】
ここで、図１１，１２に示されるように、本例では、接触面５１Ｂの凹状部５９によって、接着剤３のうち熱収縮チューブ２の一方端２１から溢れ出る部分にこの凹状部５９に応じた凸部３９が形成される。そして、この凸部３９が形成された状態で、流動状の接着剤３が固化する。
【００７２】
本例の電線モジュール製造方法によって得られる電線モジュール１００Ｂでは、固化した状態で接着剤３のうち熱収縮チューブ２の一方端２１から溢れ出る部分には凸部３９が形成される。より具体的には、接着剤３のうち端子８の相手側接続部８１側の端部には、相手側接続部８１側に向かって突出する凸部３９が形成される。本例では、電線モジュール１００Ｂにおいて、接着剤３のうち熱収縮チューブ２の一方端２１から溢れ出た部分に凸部３９が形成されていることを確認することで、この電線モジュール１００Ｂの止水性を確認できる。凸部３９は、目視で比較的簡単に確認できるため、より簡単に電線モジュール１００Ｂの止水性を確認できる。
【００７３】
＜応用例＞
上記の実施形態及び変形例では、押し戻し工程が、端子の一方主面側のみで行われていた。しかしながら、押し戻し工程が、端子の一方主面側と他方主面側との両方で行われてもよい。
【００７４】
また、押し戻し工程において、凹状の接触面を含まない複数の押戻し部材を用いて、流動状の接着剤を端子の幅方向における中央部分に集めつつ、押し戻してもよい。
【００７５】
熱収縮チューブ配設工程において、熱収縮チューブと接着剤とが別々に配置されてもよい。即ち、熱収縮チューブ配設工程において、例えば固形状の接着剤が端子付電線の端子の芯線接続部に配設された状態で、この周囲を収縮前の熱収縮チューブが覆うように熱収縮チューブが配設される場合も考えられる。
【００７６】
上記実施形態では、接触面５１が傾斜面を含む構成とされていた。しかしながら、接触面が、平面構成とされている場合も考えられる。ここで、熱収縮チューブの一方端から溢れ出る流動状の接着剤は、特に中間部の両側面の部分から溢れ出す。このため、平面構成の接触面によって中間部の両側面の部分から溢れ出す流動状の接着剤が押し戻される際、この接着剤は、端子の幅方向に拡がりながら押し戻される。このため、押し戻し工程において、平面構成の接触面が採用される場合でも、接着剤が熱収縮チューブの一方端よりも内側に押し戻すことができ、熱収縮チューブの一方端側において、端子の幅方向における中央部分に液体の侵入経路と成り得る隙間が形成されにくい。
【００７７】
なお、本発明に係る電線モジュール製造方法及び電線モジュールは、各請求項に記載された発明の範囲において、以上に示された実施形態、変形例及び応用例を自由に組み合わせること、或いは実施形態、変形例及び応用例を適宜、変形する又は一部を省略することによって構成されることも可能である。
【符号の説明】
【００７８】
１  止水チューブ
１００Ａ  電線モジュール
１００Ｂ  電線モジュール
２  熱収縮チューブ
２１  一方端
３  接着剤
３８  凹部
３９  凸部
５１  接触面
５８  凸状部
５９  凹状部
７  端子付電線
８  端子
８１  相手側接続部
８２  芯線接続部
８８  一端
８９  他端
９  絶縁電線
９１  芯線
９２  絶縁被覆
【図１】
2017091643.tif 000003
【図２】
2017091643.tif 000004
【図３】
2017091643.tif 000005
【図４】
2017091643.tif 000006
【図５】
2017091643.tif 000007
【図６】
2017091643.tif 000008
【図７】
2017091643.tif 000009
【図８】
2017091643.tif 000010
【図９】
2017091643.tif 000011
【図１０】
2017091643.tif 000012
【図１１】
2017091643.tif 000013
【図１２】
2017091643.tif 000014